(57)【要約】  【課題】  ユーザーが靴を脱いだ状態でも婦人靴に装着した時の状態（形状）で保持させることができ、よってデザイン性を良好に維持することができる取扱性に優れた靴用装飾部品及びこれを装着した婦人靴を提供する。  【解決手段】  この靴用装飾部品１は、ソール２の裏面にヒール４が設けられた婦人靴Ｓに脱着自在に装着される。前記ソール２の表面の踵部側に載置される底敷部１１と、前記底敷部１１の少なくとも左右の側方部に設けられた装飾部１２と、一端部側が前記底敷部１１または前記装飾部１２に取り付けられるとともに、他端部側が前記ヒール４のつま先側で互いに接離可能となるように前記ソール２の裏面側に延ばされた一対の装着部１３とを備えている。前記底敷部１１と前記一対の装着部１３とによって前記ソール２を挟持するように、当該装着部１３の各他端部側が前記ソール２の裏面側で互いに接続されていることにより、前記婦人靴Ｓに装着される。【選択図】      図１
2005073779.tif 000002
【特許請求の範囲】
【請求項１】
ソールの裏面にヒールが設けられた婦人靴に脱着自在に装着される装飾部品であって、
前記ソールの表面の踵部側に載置される底敷部と、前記底敷部の少なくとも左右の側方部に設けられた装飾部と、一端部側が前記底敷部または前記装飾部に取り付けられるとともに、他端部側が前記ヒールのつま先側で互いに接離可能となるように前記ソール裏面側に延ばされた一対の装着部とを備え、
前記底敷部と前記一対の装着部とによって前記ソールを挟持するように、当該装着部の各他端部側が前記ソールの裏面側で互いに接続されることにより、前記婦人靴に装着されることを特徴とする靴用装飾部品。
【請求項２】
前記装飾部は、前記婦人靴の外側及び内側にそれぞれ配置される表材及び裏材を備えていることを特徴とする請求項１に記載の靴用装飾部品。
【請求項３】
前記表材と前記裏材との間には、補強片が間挿されていることを特徴とする請求項２に記載の靴用装飾部品。
【請求項４】
前記装飾部には、前記底敷部が婦人靴のソール表面上に載置されたときに、当該婦人靴に設けられたバックストラップよりも上方に延ばされる上延設部が設けられていることを特徴とする請求項１〜３のいずれかに記載の靴用装飾部品。
【請求項５】
前記装飾部には、ストラップが設けられていることを特徴とする請求項１〜４のいずれかに記載の靴用装飾部品。
【請求項６】
ヒールが設けられた婦人靴であって、
前記婦人靴の踵部に、請求項１〜５のいずれかに記載の靴用装飾部品が装着されていることを特徴とする婦人靴。
【発明の詳細な説明】
【技術分野】
【０００１】
本発明は、パンプスやミュールなどのヒールを有する婦人靴に装着される靴用装飾部品及びこれを使用する婦人靴に関する。
【背景技術】
【０００２】
ヒールを有するパンプスやミュールなどの婦人靴は、通常、デザインが固定的なものであるため、ユーザーはＴＰＯなどに対応してデザインが異なる靴を数種類も用意しなければならなかった。
そこで、上記のような婦人靴に対して脱着可能であって、新たなデザイン性を付加することができる装飾部品が提案されている。この従来の装飾部品は、足首周りに巻回されるストラップと、このストラップと一体で形成されるとともにソールの裏側へ巻回される伸縮性を有する伸縮ベルトとを具備している（例えば、特許文献１参照）。
【０００３】
【特許文献１】特開２００３−９９０９号公報（第２頁、第１図及び第２図）
【発明の開示】
【発明が解決しようとする課題】
【０００４】
ところが、特許文献１に記載の装飾部品は、ストラップが足首に巻回されることによって支持されているので、ユーザーが靴を脱いだ状態では、その装着時の状態（形状）を保持することができず、容易に外れてしまう。このため、デザイン性が損なわれるばかりでなく、外れた装飾部品を、その都度バックなどに保管する必要があるなど、使い難いという問題があった。
本発明は、上記問題点に鑑みてなされたものであり、ユーザーが靴を脱いだ状態でも婦人靴に装着した時の状態（形状）で保持されることができ、よってデザイン性を良好に維持することができる使い易い靴用装飾部品及びこれを使用する婦人靴を提供することを目的とする。
【課題を解決するための手段】
【０００５】
本発明は、ソールの裏面にヒールが設けられた婦人靴に脱着自在に装着される装飾部品であって、前記ソールの表面の踵部側に載置される底敷部と、前記底敷部の少なくとも左右の側方部に設けられた装飾部と、一端部側が前記底敷部または前記装飾部に取り付けられるとともに、他端部側が前記ヒールのつま先側で互いに接離可能となるように前記ソール裏面側に延ばされた一対の装着部とを備え、前記底敷部と前記一対の装着部とによって前記ソールを挟持するように、当該装着部の各他端部側が前記ソールの裏面側で互いに接続されることにより、前記婦人靴に装着されることを特徴とする。
上記のように構成された靴用装飾部品では、底敷部と一対の装着部とによって、ソールを挟持するように装着されるので、ユーザーが靴を脱いだ場合においても当該装飾部品は、その装着した時の状態（形状）を保持させることができる。
【０００６】
また、前記装飾部は、前記婦人靴の外側及び内側にそれぞれ配置される表材及び裏材を備えているのが好ましい。
この場合には、表材に様々な装飾が施された素材を採用することにより、装飾部のデザインを容易に変化させることができる。また、裏材に柔軟な素材を採用することにより、足の踵とのフィット感の向上を図ることができるとともに、婦人靴の履き心地を向上させることができる。
【０００７】
また、前記表材と前記裏材との間には、補強片が間挿されているのが好ましい。
この場合には、表材と裏材との間に補強片が間挿されているので、装飾部の型くずれを防止することができる。
【０００８】
また、前記装飾部には、前記底敷部が婦人靴のソール表面上に載置されたときに、当該婦人靴に設けられたバックストラップよりも上方に延ばされる上延設部が設けられているのが好ましい。
この場合には、上延設部によってバックストラップを覆い隠して、容易に婦人靴のデザインを変化させることができる。
【０００９】
また、前記装飾部には、ストラップが設けられているのが好ましい。
この場合には、ストラップによって装飾部品のデザイン性を向上させたり、足との一体感を高めて履き心地を向上させたりすることができる。
【００１０】
また、本発明は、ヒールが設けられた婦人靴であって、前記婦人靴の踵部に、請求項１〜５のいずれかに記載の靴用装飾部品が装着されていることを特徴とする。
上記のように構成された婦人靴では、上記靴用装飾部品が装着されているので、ユーザーの使用状態にかかわらず当該婦人靴のデザイン性を維持することができるとともに、上記従来品と異なり、脱いだ時に装飾部品が外れることなく、当該部品を別の場所に保管する必要がない。
【発明の効果】
【００１１】
本発明によれば、ユーザーが靴を脱いだ状態でも靴用装飾部品を婦人靴に装着した時の状態（形状）で保持させることができるので、デザイン性を良好に維持することができるとともに使い易い靴用装飾部品及び婦人靴を構成することができる。
【発明を実施するための最良の形態】
【００１２】
以下、図面を参照しつつ、本発明の実施形態を説明する。
図１は、本発明の第一実施形態に係る装飾部品１が婦人靴Ｓの左足側の踵部に装着された状態を示し、図２は、装飾部品１の構成を示している。なお、婦人靴Ｓの右足側については、左足側と形状が対称である他は同様であるため省略する。
婦人靴Ｓは、例えば、ミュールであって、靴の土台を形成する足裏形状のソール２と、ソール２の前方側（足のつま先側）の左右両端に亘って設けられたアッパー３と、ソール２の裏面の後方側（足の踵側）に固定されたヒール４とを備えている。
【００１３】
本実施形態の装飾部品１は、踵部のない履き物に対する脱着式のバックステイ部品として機能するものであり、ソール２の表面の後方側に載置される底敷部１１と、足の踵を背後から包むべく底敷部１１の左右及び後方側の縁部から上下方向に延設された装飾部１２と、装飾部１２の前方側の左右両下端部に設けられた装着部１３と、足首を巻回すべく装飾部１２の上端の前方側に設けられたストラップ１４とを有している。
底敷部１１は、例えば、弾性を有するクッションシートで構成されており、婦人靴Ｓの踵部の形状に沿うように形成されている。
【００１４】
装飾部１２は、婦人靴Ｓの外側に設けられる表材１２ａと、婦人靴Ｓの内側に設けられる裏材１２ｂと、表材１２ａと裏材１２ｂとの間に間挿された補強片１５とを有している。裏材１２ｂは、その下端が底敷部１１の左右及び後方側の縁部に接着剤による接着や縫製などによって接合されている。表材１２ａには、ヒール４の根元を包むべく底敷部１１の左右及び後方側の縁部１１ａから下方へ延設されたカバー部１２ｃが設けられている。表材１２ａは、本皮、合成皮革及び布などで構成されている。この表材１２ａの表面に、様々な装飾が施された素材を採用することによって、装飾部１２のデザインを容易に変化させることができる。裏材１２ｂは、本皮、合成皮革及び布などで構成されている。この裏材１２ｂに、軟質な素材を採用することによって、装飾部１２と足の踵とのフィット感の向上を図ることができ、婦人靴Ｓの履き心地を向上させることができる。
【００１５】
補強片１５は、例えば、レザーボードやパルプボードなどの硬質素材からなる半月状のものである。この補強片１５が表材１２ａと裏材１２ｂとの間に間挿されることで、表材１２ａ及び裏材１２ｂの型くずれを防止している。また、補強片１５は、婦人靴Ｓの踵部に足を定着させ、足から婦人靴Ｓが脱げたりずれたりするのを防止するとともに、外部からの衝撃に対して足の踵を保護する効果も有している。
【００１６】
ストラップ１４は、例えば、本皮で構成された帯状のもので、その一端が装飾部１２の裏材１２ｂの右前方上端に接着剤による接着や縫製などによって固定されている。また、他端は、装飾部１２の左前方上端に、例えば、スナップ１６を介して脱着自在に固定されている。スナップ１６は、雌スナップ１６ａと雄スナップ１６ｂとで構成されており、雌スナップ１６ａがストラップ１４の他端に取り付けられている。雄スナップ１６ｂは、その突起部１６ｂ１が表材１２ａ及び裏材１２ｂのそれぞれに形成された貫通穴１２ａ１，１２ｂ１に裏材１２ｂから挿通され、突起部１６ｂ１が表材１２ａの外側に突出するよう裏材１２ｂに固定されている。このように構成されたストラップ１４によって、装飾部品１のデザイン性を向上させたり、足との一体感を高めて履き心地を向上させたりすることができる。
【００１７】
装着部１３は、表材１２ａと同素材で一体形成された左右一対の装着片１３Ｌ，１３Ｒと、装着片１３Ｌ，１３Ｒの端部に設けられた面ファスナー１７とを有している。装着片１３Ｌ，１３Ｒは、ソール２の裏面で重畳されており、面ファスナー１７によって互いに結合されている。詳細には、面ファスナー１７は、雄ファスナー１７ａと雌ファスナー１７ｂとを有しており、互いに接離することで左右の装着片１３Ｌ，１３Ｒを容易に結合・分離させることができる。なお、装着部１３は、面ファスナー１７に代えてマグネットやスナップなどを介して結合されても良い。
【００１８】
ソール２は、足の裏と当接するとともに靴の骨格をなすインソール２１と、インソール２１の下面に接合され、地面と接触するアウトソール２２とを有している。インソール２１は、例えば、レザーボードやパルプボードなどの素材で構成され、アウトソール２２は、例えば、合成ゴム素材で構成されている。各ソール２１，２２は、足裏形状に添うように形成されており、接着剤による接着や縫製などによって互いに接合されている。
【００１９】
アッパー３は、本皮、合成皮革、樹脂及び布などからなるもので、足の甲を覆うように形成されている。このアッパー３は、インソール２１に接着剤や縫製などによって接合されており、アッパー３とインソール２１とで足の甲を抱囲するようになっている。
ヒール４は、例えば、その高さが３．５〜５．５ｃｍに形成されたミドルタイプのものである。なお、ヒール４は、例えば、本皮や合成皮革などからなるヒール巻き４１によって装飾されており、デザイン性の向上が図られている。
【００２０】
図３は、婦人靴Ｓに装飾部品１を装着する過程を示している。
この装飾部品１は、インソール２１の表側の後方側に底敷部１１を載置し、左右の装着片１３Ｌ，１３Ｒをヒール４の前方側に取り回し、アウトソール２２の裏面で装着片１３Ｌ，１３Ｒが重畳するように巻回する。そして、左右の装着片１３Ｌ，１３Ｒに設けられた雄雌ファスナー１７ａ，１７ｂを互いに合わせることによって、装飾部品１を婦人靴Ｓに固定することができる。
【００２１】
上記のように装着した装飾部品１は、底敷部１１と一対の装着部１３とによって、ソール２を挟持するように装着されている。従って、婦人靴Ｓを脱いだ場合においても、装飾部品１を装着した時の状態（形状）を保持することができ、そのデザイン性を良好に維持することができる。また、装飾部品１が装着された婦人靴Ｓを履いた場合には、足の踵を後方側から抱囲する装飾部１２が設けられるので、足と婦人靴Ｓとの一体感を向上することができる。さらに、ヒール４の根元をカバー部１２ｃが取り巻いているので、装飾部品１が婦人靴Ｓの前方側へズレたり、歩行時に底敷部１１が婦人靴Ｓの踵部から浮いたりするのを防止することができる。従って、婦人靴Ｓの履き心地を向上させることができるとともに、歩行の際に発生するヒール４の接地音を小さくすることができる。
【００２２】
図４は、本発明の第二実施形態に係る装飾部品１を装着した婦人靴Ｓを示している。図において、上記実施形態との主な相違点は、装飾部１２の縁部を幾分残した状態で、その中央部分が開放された開口部１２ｄが形成されている点である。
図４に示すように、本実施形態では、装飾部１２がインソール２１の左右両側から立設されており、その上端部がストラップ１４とともに足首周りに配置されるアンクルストラップを構成するようになっている。以上の構成により、装飾部品１が装着されることによって、ミュールタイプの婦人靴Ｓをアンクルストラップタイプの婦人靴Ｓに容易に変化させることができる。また、開口部１２ｄによる軽量化を図ることができ、婦人靴Ｓの履き心地をより一層向上させることができる。
【００２３】
図５に、本発明の第三実施形態に係る装飾部品１を装着した婦人靴Ｓを示している。図において、上記実施形態との主な相違点は、装飾部１２の左右上端に一体的に設けられた左右２本のストラップ１４Ｌ，１４Ｒが、それぞれ平行にアッパー３まで延設されている点である。
図５に示すように、本実施形態では、装飾部１２がストラップ１４Ｌ，１４Ｒの延設端に設けられた、例えば、クリップ１８を介してアッパー３に脱着自在に結合されている。
以上の構成により、装飾部品１が装着されることによって、ミュールタイプの婦人靴Ｓをオープンサイドタイプの婦人靴Ｓに容易に変化させることができる。
【００２４】
図６に、本発明の第四実施形態に係る装飾部品１を装着した婦人靴Ｓを示している。図において上記実施形態との主な相違点は、装飾部品１の底敷部１１がバックストラップ５を有する婦人靴Ｓのソール２表面上に載置された時に、当該婦人靴Ｓに設けられたバックストラップ５よりも上方に延ばされる上延設部１２ｅが装飾部品１の装飾部１２に設けられている点である。
図６に示すように、本実施形態では、一対のストラップ５Ｌ，５Ｒがアッパー３の左右両側から後方側にそれぞれ延設され、一方のストラップ５Ｒが足首の後側で折り返されるとともに、左足の左踝の付近で他方のストラップ５Ｌと、例えば、バックル６を介して脱着自在に結合されている。また、装飾部品１は、装飾部１２がバックストラップ５の内側に配置されており、装飾部１２の上延設部１２ｅが婦人靴Ｓの外側へ折り返されている。このように折り返された上延設部１２ｅは、バックストラップ５を覆い隠すように抱囲している。
【００２５】
以上の構成により、装飾部品１の上延設部１２ｅによって、バックストラップ５を覆い隠すことができるので、バックストラップタイプの婦人靴Ｓをベーシックなパンプスタイプの婦人靴Ｓに容易に変化させることができる。また、装飾部品１の装飾部１２がバックストラップ５の内側に配置されているので、バックストラップ５と足首との間に生じる摩擦を軽減することができる。従って、靴擦れをおこすことなく、その履き心地を向上させることができる。なお、装飾部１２は、バックストラップ５の外側に配置され、上延設部１２ｅを内側に折り返して使用しても良く、上延設部１２ｅを折り返さずにそのまま立てた状態で使用しても良い。
【００２６】
上記の各実施形態に示したように、装飾部品１が装着された婦人靴Ｓは、上記靴用装飾部品１が装着されているので、ユーザーの使用状態にかかわらず当該婦人靴Ｓのデザイン性を維持することができるとともに、従来品と異なり、脱いだ時に装飾部品が外れることなく、当該部品を別の場所に保管する必要がない。また、この婦人靴Ｓは、装飾部品１によって、固定的なデザインの婦人靴Ｓに新たなデザイン性が付加され、見栄えが向上する。さらに、ユーザーは、様々なデザインの装飾部品１に付け替えることによって、ＴＰＯに対応した様々なデザインの婦人靴Ｓを楽しむことができる。
【００２７】
なお、本発明は上述した実施形態に限定されるものではない。
例えば、装飾部品１が装着される婦人靴Ｓは、ヒール４を有するものであれば良く、その種類を限定するものではない。また、装飾部品１を構成する装飾部１２やストラップ１４などの形状及び素材は、上記実施形態のものに限定するものではない。さらに、装飾部品１は、ポリプロピレンなどの樹脂で構成されても良く、底敷部１１や装飾部１２などの各パーツ全体が一体で成形されたものでも良い。
【図面の簡単な説明】
【００２８】
【図１】本発明の第一実施形態に係る装飾部品を装着した婦人靴の斜視図である。
【図２】本発明の第一実施形態に係る装飾部品の構成を示す斜視図である。
【図３】本発明の第一実施形態に係る装飾部品を婦人靴に装着する過程を示す斜視図である。
【図４】本発明の第二実施形態に係る装飾部品を装着した婦人靴の斜視図である。
【図５】本発明の第三実施形態に係る装飾部品を装着した婦人靴の斜視図である。
【図６】本発明の第四実施形態に係る装飾部品を装着した婦人靴の斜視図である。
【符号の説明】
【００２９】
Ｓ      婦人靴
１      装飾部品
２      ソール
４      ヒール
５      バックストラップ
１１    底敷部
１２    装飾部
１２ａ  表材
１２ｂ  裏材
１２ｅ  上延設部
１３    装着部
１４    ストラップ
１５    補強片
【図１】
2005073779.tif 000003
【図２】
2005073779.tif 000004
【図３】
2005073779.tif 000005
【図４】
2005073779.tif 000006
【図５】
2005073779.tif 000007
【図６】
2005073779.tif 000008